(57)【要約】  基地局は、第１のユーザ機器（ＵＥ）装置にレート推奨を送信する。レート推奨は、第１のＵＥ装置と第２のＵＥ装置との間のボイスオーバーロングタームエボリューション（ＶｏＬＴＥ）通話に使用されるためのものである。場合によっては、第１のＵＥ装置及び第２のＵＥ装置は、基地局によって推奨されたレートに基づいて、ＶｏＬＴＥ通話に使用されるレートをネゴシエートする。ネゴシエートされたレートが基地局によってサポートされ、かつ／又はサポートされたコーデックレートに一致する場合、ＵＥ装置はそのレートを実施し、基地局にレートフィードバックを提供する。
2019525592.tif 000002
【特許請求の範囲】
【請求項１】
基地局から第１のユーザ機器（ＵＥ）装置にレート推奨を送信することであって、前記レート推奨は、第２のＵＥ装置とのボイスオーバーロングタームエボリューション（ＶｏＬＴＥ）通話に使用される、ことと、
前記レート推奨を実施することと、を含む、方法。
【請求項２】
前記レート推奨は、コーデックレート推奨を含む、請求項１に記載の方法。
【請求項３】
前記レート推奨は、前記基地局によってサポートされるビットレートを含む、請求項１に記載の方法。
【請求項４】
前記ビットレートは、前記基地局によって許容可能な最大ビットレートである、請求項３に記載の方法。
【請求項５】
前記レート推奨は、より高いレートのための推奨を含む、請求項１に記載の方法。
【請求項６】
前記レート推奨は、より低いレートのための推奨を含む、請求項１に記載の方法。
【請求項７】
前記レート推奨を送信することは、前記レート推奨をブロードキャストすることを含む、請求項１に記載の方法。
【請求項８】
前記第１のＵＥ装置からレート変更要求を受信することを更に含む、請求項１に記載の方法。
【請求項９】
前記第１のＵＥ装置と前記第２のＵＥ装置との間で、前記ＶｏＬＴＥ通話に使用されるレートをネゴシエートすることを更に含む、請求項１に記載の方法。
【請求項１０】
前記レート推奨が実施されたという確認を受信することを更に含む、請求項１に記載の方法。
【請求項１１】
レート推奨を送信するように構成された送信部を含む基地局と、
第１のユーザ機器（ＵＥ）デバイスであって、
前記レート推奨を受信するように構成された受信部であって、前記レート推奨は、前記第１のＵＥ装置と第２のＵＥ装置との間のボイスオーバーロングタームエボリューション（ＶｏＬＴＥ）通話に使用される、受信部と、
前記レート推奨を実施するように構成された制御部と、含む、第１のＵＥ装置と、を備える、システム。
【請求項１２】
前記レート推奨はコーデックレート推奨を含む、請求項１１に記載のシステム。
【請求項１３】
前記レート推奨は、前記基地局によってサポートされるビットレートを含む、請求項１１に記載のシステム。
【請求項１４】
前記レート推奨は、より高いレートのための推奨を含む、請求項１１に記載のシステム。
【請求項１５】
前記レート推奨は、より低いレートのための推奨を含む、請求項１１に記載のシステム。
【請求項１６】
前記基地局の前記送信部は、前記レート推奨をブロードキャストするように更に構成されている、請求項１１に記載のシステム。
【請求項１７】
前記基地局は、
前記第１のＵＥ装置からレート変更要求を受信するように構成された受信部を更に備える、請求項１１に記載のシステム。
【請求項１８】
前記第１のＵＥ装置は、
前記制御部に連結された送信部を更に含み、前記第１のＵＥ装置の前記送信部及び前記制御部は、前記ＶｏＬＴＥ通話に使用されるレートを前記第２のＵＥ装置とネゴシエートするように構成されている、請求項１１に記載のシステム。
【請求項１９】
前記基地局は、
前記レート推奨が実施されたという確認を受信するように構成された受信部を更に含む、請求項１１に記載のシステム。
【発明の詳細な説明】
【優先権の主張】
【０００１】
本出願は、本出願の譲受人へ譲渡され、全体が参照により本明細書により明示的に援用されている、２０１６年８月１１日に出願された、発明の名称が「ＲＡＮ支援コーデックレートの適応」である仮出願第６２／３７３，６５３号の優先権を主張する。
【技術分野】
【０００２】
本発明は、全般的には無線通信に関し、具体的には無線アクセスネットワークにおけるレート適応に関する。
【背景技術】
【０００３】
第３世代パートナーシッププロジェクト（３ＧＰＰ）は、ＥＶＳ（拡張音声サービス）という名称の新しい音声コーデックを仕様化した。コーデックは、（１）送信及び／又は記憶のためにデータを符号化し、（２）再生、記憶、及び／又は編集のために受信データを復号化する装置又はプログラムである。ＥＶＳは、幅広いレートで高い音声品質を提供する。これにより、低いＥＶＳコーデックレートでも十分な品質を維持でき、カバレッジ環境が悪く、過負荷のシナリオで使用することができる。ただし、可能な限り常にオーディオ品質を向上させるために、より高いコーデックレートを使用することが依然として所望されている。ＥＶＳは、より広いレート範囲及びフルオーディオ帯域幅を備えた柔軟性を有しており、記憶された音楽など、他のオーディオ入力に匹敵する音声品質を提供しながら、遅延、ジッタ、及びパケット損失に対する高いロバスト性をもたらす。
【０００４】
無線条件もまた、コーデックモード及びコーデックレートに影響を与える場合がある。たとえば、不十分な無線条件下では、より低いコーデックレートを使用して、パケット損失を減らすことができる一方、良好な無線条件では、より高いコーデックレートを使用して、より良いユーザエクスペリエンスを確保することができる。したがって、音声コーデック、ネットワーク容量、無線条件、及びユーザエクスペリエンスを考慮した、柔軟で効率的なコーデック変更メカニズムが必要とされている。
【発明の概要】
【０００５】
基地局は、第１のユーザ機器（ＵＥ）装置にレート推奨（ｒａｔｅ  ｒｅｃｏｍｍｅｎｄａｔｉｏｎ）を送信する。レート推奨は、第１のＵＥ装置と第２のＵＥ装置との間のボイスオーバーロングタームエボリューション（ＶｏＬＴＥ）通話に使用されるためのものである。場合によっては、第１のＵＥ装置及び第２のＵＥ装置は、基地局によって推奨されたレートに基づいて、ＶｏＬＴＥ通話に使用されるレートをネゴシエートする。ネゴシエートされたレートが基地局によってサポートされ、かつ／又はサポートされたコーデックレートに一致する場合、ＵＥ装置はそのレートを実施し、基地局にレートフィードバックを提供する。
【図面の簡単な説明】
【０００６】
【図１】第１のユーザ機器（ＵＥ）装置が第２のＵＥ装置とのボイスオーバーロングタームエボリューション（ＶｏＬＴＥ）通話に使用されるためのレート推奨を受信する一例に関する通信システムのブロック図である。
【０００７】
【図２Ａ】図１に示す基地局の一例のブロック図である。
【０００８】
【図２Ｂ】図１に示すＵＥ装置の一例のブロック図である。
【０００９】
【図３】基地局がコーデックレート及び１つ又は複数の追加のコーデックレート関連パラメータについての知識を有する一例のメッセージ送受信図である。
【００１０】
【図４】基地局がコーデックレート又は任意の他のコーデックレート関連パラメータについての知識を有さない一例のメッセージ送受信図である。
【００１１】
【図５】基地局がコーデックレートの知識を有するが任意の他のコーデックレート関連パラメータについての知識を有さない一例のメッセージ送受信図である。
【００１２】
【図６】基地局が特定のコーデックレートに対する要求を受信し、要求されたコーデックレートを受け入れるか又は拒絶する一例のメッセージ送受信図である。
【００１３】
【図７】第１のＵＥ装置が、第２のＵＥ装置とのボイスオーバーロングタームエボリューション（ＶｏＬＴＥ）通話に使用されるためのレート推奨を受信する方法の一例のフローチャートである。
【発明を実施するための形態】
【００１４】
ボイスオーバーＬＴＥ（ＶｏＬＴＥ）は、３ＧＰＰロングタームエボリューション（ＬＴＥ）通信仕様が音声サービスを提供するための重要な機構であり、世界中の通信事業者によって展開及び開始されており、そのため、通信事業者にとってＶｏＬＴＥ機能は極めて重要になっている。ＶｏＬＴＥサービスのユーザエクスペリエンスに影響を与え得る重要な要因のうちの１つは、音声コーデックの設定である。例えば、適応型マルチレート（ＡＭＲ）音声符号化レートが高いほど、鮮明度が高い音声通話、それ故に、より良好なユーザエクスペリエンスを提供することができる。２．より高いＡＭＲ音声符号化レートが使用される場合、コーデックレートが高いほど多くの無線リソース割り当てが必要となる。これは、利用可能なネットワーク容量がより少ないことを意味する。
【００１５】
無線アクセスネットワーク（ＲＡＮ）の基地局（例えば、ｅＮＢ）は、音声コーデックレート適応をトリガするための最良の位置にある。したがって、ｅＮＢ支援（又はＲＡＮ支援）コーデックレート適応ソリューションを検討する必要がある。ｅＮＢ支援コーデックレート適応をサポートするために、考慮すべき主な問題のうちの１つは、ｅＮＢが、サポートされたコーデックのタイプごとに特定のコーデックレートに関する情報を有する必要があるかどうかである。ｅＮＢがコーデックレートについての特定の情報を有すると仮定するならば、ｅＮＢがまた、コーデックタイプ、フレームアグリゲーション、冗長レベル及び冗長オフセットを知る必要があるかどうかを更に考慮するべきである。これは、ｅＮＢは本質的にユーザ機器（ＵＥ）装置の代わりにコーデックレート適応のためのエンドポイントとして作用することができると考えられることを意味する。
【００１６】
しかしながら、ｅＮＢがコーデックレート情報のみを有する場合、ＵＥのアプリケーション層への入力の１つとして、ＵＥがｅＮＢの推奨コーデックレートにどれだけの重みを与えるべきか不明である。なお、従来、ｅＮＢはアプリケーション層のシグナリングを一切処理しないことに留意されたい。むしろ、ｅＮＢは、ＬＴＥシステムのアクセス層（ＡＳ）部分のみを処理する。ｅＮＢ内にアプリケーション層のシグナリングを追加すると、ネットワークアーキテクチャを構築する方法についての既存のパラダイムが劇的に変化すると考えられる。
【００１７】
図１は、第１のユーザ機器（ＵＥ）装置が第２のＵＥ装置とのボイスオーバーロングタームエボリューション（ＶｏＬＴＥ）通話に使用されるためのレート推奨を受信する一例に関する通信システムのブロック図である。通信システム１００は、無線アクセスネットワーク（図示せず）の一部である様々な基地局のそれぞれのサービスエリア内に位置するＵＥ装置に様々な無線サービスを提供する無線アクセスネットワークの一部である。基地局１０２は、下りリンク信号１０４によってＵＥ装置１０６、１０８に無線サービスを提供する。
【００１８】
明確さと簡潔さのために、通信システム１００は、セル１１０内に位置するＵＥ装置１０６、１０８に無線サービスを提供する単一の基地局１０２を有するものとして図示されている。しかしながら、他の例では、通信システム１００は任意の適切な数の基地局を有することができると考えられる。図１の例では、セル１１０は円で表されているが、典型的な通信システム１００であれば、様々な形状の地理的サービスエリアを有する複数のセルを有すると考えられる。ｅノードＢ又はｅＮＢと呼ばれることもある基地局１０２は、ＵＥ装置１０６、１０８に下りリンク信号１０４を送信し、ＵＥ装置から送信された上りリンク信号１１６を受信することによって、無線ユーザ機器（ＵＥ）装置１０６、１０８と通信する。図１に示す例では、下りリンク信号１０４及び上りリンク信号１１６は、単に、基地局１０２とＵＥ装置１０６との間で送信されるものとして示されているが、ＵＥ装置１０８もまた、下りリンク信号１０４を受信し、上りリンク信号１１６を送信することができる。ＵＥ装置１０６、１０８は、例えば、携帯電話、トランシーバモデム、携帯情報端末（ＰＤＡ）、及びタブレットなどの任意の無線通信デバイスである。
【００１９】
基地局１０２は、既知の技術に従ってバックホール（図示せず）を介してネットワークに接続されている。図２Ａに示すように、基地局１０２は、制御部２０４、送信部２０６、及び受信部２０８、並びに他の電子装置、ハードウェア、及びコードを含む。基地局１０２は、本明細書で説明する機能を実行する任意の固定式、移動式、又は携帯型の機器である。基地局１０２を参照して説明されるブロックの多様な機能及び動作は、任意の数のデバイス、回路、又は要素において実施されてもよい。機能ブロックのうちの２つ以上は単一の装置に統合されてもよく、任意の単一の装置において実行されるように説明される機能は、複数の装置にわたって実施されてもよい。
【００２０】
図２Ａに示す例では、基地局１０２は、固定された装置、又はシステム展開時に特定の位置に設置される装置であってもよい。このような機器の例には、固定基地局又は固定送受信局が挙げられる。状況によっては、基地局１０２は、特定の位置に一時的に設置される移動機器であってもよい。このような機器の例には、発電機、太陽光パネル、及び／又はバッテリなどの発電装置を含むことができる移動送受信局が挙げられる。大重量型のこのような装置は、トレーラーによって輸送することができる。更に他の状況では、基地局１０２は、任意の特定の位置に固定されない携帯型装置であってもよい。したがって、基地局１０２は、状況によっては、ＵＥ装置などの携帯型ユーザ装置であってもよい。
【００２１】
制御部２０４は、本明細書で説明される機能を実行し、かつ基地局１０２の機能全体を促進する、ハードウェア、ソフトウェア、及び／又はファームウェアの任意の組み合わせを含む。適切な制御部２０４の一例は、メモリに接続されたマイクロプロセッサ又はプロセッサ装置上で動作するコードが挙げられる。送信部２０６は、無線信号を送信するように構成された電子装置を含む。状況によっては、送信部２０６は、複数の送信部を含むことができる。受信部２０８は、無線信号を受信するように構成された電子装置を含む。状況によっては、受信部２０８は、複数の受信部を含むことができる。受信部２０８及び送信部２０６は、それぞれ、アンテナ２１０を介して信号を受信及び送信する。アンテナ２１０は、別個の送信アンテナ及び受信アンテナを含むことができる。状況によっては、アンテナ２１０は、複数の送信アンテナ及び受信アンテナを含むことができる。
【００２２】
図２Ａの例の送信部２０６及び受信部２０８は、変調及び復調を含む高周波（ＲＦ）処理を実行する。したがって、受信部２０８は、低雑音増幅器（ＬＮＡ）及びフィルタなどの構成要素を含むことができる。送信部２０６は、フィルタ及び増幅器を含むことができる。他の構成要素には、アイソレータ、整合回路、及びその他のＲＦ構成要素が含まれてもよい。これらの構成要素は、他の構成要素と組み合わされて、又は協働して、基地局の機能を実行する。必要な構成要素は、基地局によって必要とされる特定の機能に依存し得る。
【００２３】
送信部２０６は変調器（図示せず）を含み、受信部２０８は復調器（図示せず）を含む。変調器は、下りリンク信号１０４の一部として送信される信号を変調し、複数の変調次数のうちの任意の１つを適用することができる。復調器は、複数の変調次数のうちの１つに従って基地局１０２で受信された、上りリンク信号１１６を含む任意の信号を復調する。
【００２４】
図１に戻って、通信システム１００は、基地局１０２を介してＵＥ装置１０６、１０８に様々な無線サービスを提供する。本明細書では例として、通信システム１００は、第３世代パートナーシップ・プロジェクト・ロングターム・エボリューション（３ＧＰＰ  ＬＴＥ）の通信仕様の少なくとも１つの改定版に従って動作する。第１のＵＥ装置１０６は、図２Ｂに示されるように、アンテナ２１２及び受信部２１４を介して下りリンク信号１０４を受信する。図２Ｂは、第１のＵＥ装置１０６の回路及び構成を具体的に示しているが、同じＵＥ装置の回路及び構成が、第２のＵＥ装置１０８に利用される。第１のＵＥ装置１０６は、アンテナ２１２及び受信部２１４の他に、制御部２１６及び送信部２１８、並びに他の電子装置、ハードウェア、及びコードを更に備える。第１のＵＥ装置１０６は、本明細書で説明される機能を実行する任意の固定式、移動式、又は携帯型の機器である。第１のＵＥ装置１０６を参照して説明されるブロックの種々の機能及び動作は、任意の数の装置、回路、又は素子において実装されてもよい。機能ブロックのうちの２つ以上は単一の装置に統合されてもよく、任意の単一の装置において実行されるように説明される機能は、複数の装置にわたって実施されてもよい。
【００２５】
制御部２１６は、本明細書で説明される機能を実行し、かつＵＥ装置の機能全体を促進する、ハードウェア、ソフトウェア、及び／又はファームウェアの任意の組み合わせを含む。適切な制御部２１６の一例は、メモリに接続されたマイクロプロセッサ又はプロセッサ装置上で動作するコードを含む。送信部２１８は、無線信号を送信するように構成された電子装置を含む。状況によっては、送信部２１８は、複数の送信部を含むことができる。受信部２１４は、無線信号を受信するように構成された電子装置を含む。状況によっては、受信部２１４は、複数の受信部を含むことができる。受信部２１４及び送信部２１８は、それぞれ、アンテナ２１２を介して信号を受信及び送信する。アンテナ２１２は、別個の送信アンテナ及び受信アンテナを含むことができる。状況によっては、アンテナ２１２は、複数の送信アンテナ及び受信アンテナを含むことができる。
【００２６】
図２Ｂの例の送信部２１８及び受信部２１４は、変調及び復調を含む高周波（ＲＦ）処理を実行する。したがって、受信部２１４は、低雑音増幅器（ＬＮＡ）及びフィルタなどの構成要素を含むことができる。送信部２１８は、フィルタ及び増幅器を含むことができる。他の構成要素には、アイソレータ、整合回路、及びその他のＲＦ構成要素が含まれてもよい。これらの構成要素は、他の構成要素と組み合わされて、又は協働して、ＵＥ装置機能を実行する。必要な構成要素は、ＵＥ装置によって必要とされる特定の機能に依存し得る。
【００２７】
送信部２１８は変調器（図示せず）を含み、受信部２１４は復調器（図示せず）を含む。変調器は、図１に示す上りリンク信号１１６の一部として送信される信号を変調するために複数の変調次数のうちの任意の１つを適用することができる。復調器は、複数の変調次数のうちの１つに従って下りリンク信号１０４を復調する。
【００２８】
動作中、基地局１０２は、送信部２０６及びアンテナ２１０を介して、第１のユーザ機器（ＵＥ）装置１０６にレート推奨を送信する。第１のＵＥ装置１０６は、アンテナ２１２及び受信部２１４を介してレート推奨を受信する。レート推奨は、第２のＵＥ装置１０８とのボイスオーバーロングタームエボリューション（ＶｏＬＴＥ）通話に使用されるレートに対する推奨である。いくつかの例では、レート推奨は、コーデックレート推奨（例えば、音声コーデックが音声データをＶｏＬＴＥ通話用に符号化及び復号化するレート）である。他の例では、レート推奨は、基地局１０２によってサポートされるビットレートである。レート推奨がビットレートであるいくつかの状況では、推奨ビットレートは、基地局１０２によって許容可能な最大ビットレートである。推奨されているレートのタイプに関係なく、いくつかの例では、レート推奨はより高いレートへの推奨である。他の例では、レート推奨はより低いレートへの推奨である。更に、これらの異なるタイプのレート推奨のうちのいずれもが、送信部２０６及びアンテナ２１０を介して、基地局１０２によってＵＥ装置１０６、１０８にブロードキャストされ得る。
【００２９】
いくつかの例では、基地局は、アンテナ２１０及び受信部２０８を介して、第１のＵＥ装置１０６からレート変更要求を受信する。レート変更要求は、基地局１０２がレート推奨を第１のＵＥ装置１０６に送信する前及び／又は後に受信され得る。
【００３０】
更に、第１のＵＥ装置１０６及び第２のＵＥ装置１０８は、ＶｏＬＴＥ通話１１４に使用されるレートをネゴシエートすることができる。第１のＵＥ装置１０６及び第２のＵＥ装置１０８は、それらのそれぞれの送信部２１８、制御部２１６、及びアンテナ２１２を使用して、アプリケーション層を介してレートをネゴシエートする。ネゴシエーションは、基地局１０２が第１のＵＥ装置１０６にレート推奨を送信する前及び／又は後に行われてもよい。
【００３１】
レート推奨を受信すると、第１のＵＥ装置１０６の制御部２１６は、（１）推奨レートを実施する（例えば、受け入れる）、（２）推奨レートを拒絶する、（３）推奨レートとは異なるレートを要求する、（４）第２のＵＥ装置１０８とレートをネゴシエートする、又は（５）前述のオプションのうちの２つ以上の任意の組み合わせを実行するかどうかを判定する。
【００３２】
レート推奨が実施される（例えば、受け入れられる）と、第１のＵＥ装置１０６は、レート推奨が実施されたことを示す確認を基地局１０２に送信する。基地局１０２は、アンテナ２１０及び受信部２０８を介して、レート推奨が第１のＵＥ装置１０６によって実施されたことを示す確認を受信する。第１のＵＥ装置１０６がレートを要求する他の例では、基地局１０２は、レート推奨（例えば、要求されたレート）が実施された（例えば、受け入れられた）ことを示す、確認として機能するレート変更推奨を、第１のＵＥ装置１０６に送信する。これらの例では、第１のＵＥ装置１０６は、アンテナ２１２及び受信部２１４を介して、レートが基地局１０２によって実施された（例えば、受け入れられた）ことを示す確認を受信する。
【００３３】
図３は、基地局がコーデックレート及び１つ又は複数の追加のコーデックレート関連パラメータについての知識を有する一例のメッセージ送受信図である。この例では、第１のＵＥ装置１０６は、信号３０２によって、コーデックレート情報、並びに１つ又は複数の追加のコーデックレート関連パラメータを基地局１０２に提供する。例えば、他のコーデックレート関連パラメータは、コーデックタイプ、フレームアグリゲーション、冗長レベル、及び冗長オフセットを含み得る。もちろん、任意の他の適切なコーデックレート関連パラメータも含めることができる。この例では、信号３０２の正確な内容にかかわらず、信号３０２は上りリンク信号１１６として基地局１０２に送信される。
【００３４】
信号３０４は、（１）第１のＵＥ装置１０６によって基地局１０２に送信されるコーデックレート要求、又は（２）基地局１０２によって第１のＵＥ装置１０６に送信されるコーデックレート変更のいずれかであり得る。信号３０４が第１のＵＥ装置１０６によって送信される「コーデックレート要求」である場合、第１のＵＥ装置１０６は、第２のＵＥ装置１０８からコーデックレートを変更する要求を受信することに応答して信号３０４を送信し得る。しかしながら、信号３０４が基地局１０２によって送信される「コーデックレート変更」である場合、信号３０４をアプリケーション層信号として送信することができるが、これは基地局が現在３ＧＰＰ  ＬＴＥにおいてＵＥ装置と一般に通信する従来の方法ではない。しかしながら、そのような構成は、基地局１０２がアプリケーション機能をサポートするように変更される場合に可能である。
【００３５】
信号３０６は、第１のＵＥ装置１０６と第２のＵＥ装置１０８との間のアプリケーション層のシグナリングを表す。図３に示す例では、信号３０６は、信号３０４によって基地局１０２が送信した「コーデックレート変更」に応答した、第１のＵＥ装置１０６と第２のＵＥ装置１０８との間のネゴシエーションである。したがって、この場合、信号３０６は信号３０４の後に送信される。しかしながら、信号３０４が第１のＵＥ装置１０６によって送信された「コーデックレート要求」である他の例では、信号３０６は信号３０４の前に発生する。したがって、これらの場合、信号３０６は、どのコーデックレートが信号３０４によって基地局１０２から要求されるべきかを判定するための、第１のＵＥ装置１０６と第２のＵＥ装置１０８との間のネゴシエーションである。更なる例では、信号３０６は信号３０４の前後両方に発生する。
【００３６】
第１のＵＥ装置１０６は、上りリンク信号１１６としての信号３０８を基地局１０２に送信する。信号３０８は、コーデックレート変更が第１のＵＥ装置１０６によって実施された（例えば、受け入れられた）ことを確定する。
【００３７】
図４は、基地局がコーデックレート又は任意の他のコーデックレート関連パラメータについての知識を有さない一例のメッセージ送受信図である。この例では、基地局１０２は、第１のＵＥ装置１０６と基地局１０２との間の通信リンクについてサポートされるビットレートを推奨し、第１のＵＥ装置１０６はレート変更のフィードバックで応答する。図４に示す例では、第２のＵＥ装置１０８はコーデックレートネゴシエーションを開始する。信号４０２は、第１のＵＥ装置１０６と第２のＵＥ装置１０８との間のアプリケーション層のシグナリングを表し、当該アプリケーション層のシグナリングを介してコーデックレートネゴシエーションが行われる。コーデックレートネゴシエーションが、より高いレートが要求されるべきであるという判定をもたらす場合、第１のＵＥ装置１０６は、信号４０４によってレート上昇要求を送信する。しかしながら、ＵＥ装置がレート上昇を要求していないシナリオでは、信号４０２、４０４は省略される。
【００３８】
基地局１０２は、基地局１０２によってサポートされる（例えば、増加又は減少に対する）最大ビットレート変更を含む信号４０６を送信する。レート上昇信号４０６は、レート上昇要求４０４に応答して送信されてもよい。他の例では、基地局１０２が無線輻輳シナリオに遭遇しているときに、基地局１０２はレート低下信号４０６を送信することができる。
【００３９】
信号４０８は、第１のＵＥ装置１０６と第２のＵＥ装置１０８との間のアプリケーション層のシグナリングを表し、基地局によって推奨されるレート変更がＵＥ装置間で順調にネゴシエートされ得るかどうかを判定する。第１のＵＥ装置１０６は、上りリンク信号１１６としての信号４１０を基地局１０２に送信する。信号４１０は、レート変更がＵＥ装置１０６、１０８間で順調にネゴシエートされたかどうかを確認する。確認信号４１０は、実施された（例えば、受け入れられた）実際のコーデックレートを含んでもよく、又は含まなくてもよい。
【００４０】
図５は、基地局がコーデックレートの知識を有するが任意の他のコーデックレート関連パラメータについての知識を有さない一例のメッセージ送受信図である。第１のＵＥ装置１０６は、信号５０２によって、サポートされるコーデックレートを基地局１０２に提供する。図５に示す例では、第２のＵＥ装置１０８はコーデックレートネゴシエーションを開始する。信号５０４は、第１のＵＥ装置１０６と第２のＵＥ装置１０８との間のアプリケーション層のシグナリングを表し、当該アプリケーション層のシグナリングを介してコーデックレートネゴシエーションが行われる。コーデックレートネゴシエーションがより高いレートが要求されるべきであるという判定をもたらす場合、第１のＵＥ装置１０６は信号５０６によってコーデックレート上昇要求を送信する。しかしながら、信号５０４、５０６は、ＵＥ装置がレート上昇を要求していないシナリオでは省略される。
【００４１】
基地局１０２は、（例えば、増加又は減少に対する）コーデックレート変更に対する推奨を含む信号５０８を送信する。場合によっては、信号５０８は、特定のコーデックレートに対する推奨を含むが、他の場合においては、信号５０８はコーデックレートの増加又は減少を単に推奨するように構成され得る。コーデックレート上昇信号５０８は、コーデックレート上昇要求５０６に応答して送信されてもよい。他の例では、基地局１０２が無線輻輳シナリオに遭遇しているときに、基地局１０２はコーデックレート低下信号５０８を送信することができる。
【００４２】
信号５１０は、第１のＵＥ装置１０６と第２のＵＥ装置１０８との間のアプリケーション層のシグナリングを表し、基地局１０２によって推奨されるコーデックレート変更をＵＥ装置間で順調にネゴシエートすることができるかどうかを判定する。第１のＵＥ装置１０６は、上りリンク信号１１６としての信号５１２を基地局１０２に送信する。信号５１２は、コーデックレート変更がＵＥ装置１０６、１０８間で順調にネゴシエートされたかどうかを確認する。信号５０８がコーデックレートの増加又は減少をシグナリングするように構成されている例では、信号５１２は、基地局１０２が修正されたコーデックレートに対する十分な無線リソースを提供できるように、コーデックレートの増加又は減少の量を基地局１０２に通知するように構成され得る。基地局１０２が新たなコーデックレート変更をサポートすることができない場合、基地局１０２は、反対方向に再び信号５０８を送信するか、又は代わりに特定のコーデックレートを提供するかの選択肢を有する。
【００４３】
図６は、より高いか、又はより低いレートがサポートされ得ることを基地局１０２が第１のＵＥ装置１０６に通知する一例のメッセージ送受信図である。第１のＵＥ装置１０６は、コーデックレートに対応し得る好ましいレートで応答する。基地局１０２は要求されたレートを受け入れるか又は拒絶する。
【００４４】
例えば、基地局１０２は、より高いレートが利用可能であること、又はより低いレートが必要とされることを第１のＵＥ装置１０６に通知する信号６０２を送信する。ＵＥ装置のうちの１つ又は複数からのレート上昇要求に応答して、高めレート利用可能信号６０２が送信され得る。他の例では、基地局１０２が無線輻輳シナリオに遭遇しているときに、基地局１０２は低めレート必要信号６０２を送信することができる。
【００４５】
信号６０４は、第１のＵＥ装置１０６と第２のＵＥ装置１０８との間のアプリケーション層のシグナリングを表して、基地局１０２によって推奨されるレート変更がＵＥ装置間で順調にネゴシエートされ得るかどうかを判定する。第１のＵＥ装置１０６は、上りリンク信号１１６としての信号６０６を基地局１０２に送信する。信号６０６は、ＵＥ装置１０６、１０８間のネゴシエーションの結果であり得る、特定のレートに対する要求を含む。基地局１０２は、レート要求応答信号６０８で応答し、レート要求応答信号６０８は、基地局が信号６０６によって要求されたレートを実施できる（例えば、受け入れることができる）かどうかを確定する。
【００４６】
図７は、第１のＵＥ装置が、第２のＵＥ装置とのボイスオーバーロングタームエボリューション（ＶｏＬＴＥ）通話に使用されるためのレート推奨を受信する方法の一例のフローチャートである。方法７００はステップ７０２で開始し、ここで基地局１０２は第２のＵＥ装置１０８とのＶｏＬＴＥ通話に使用されるためのレート推奨を第１のＵＥ装置１０６に送信する。ステップ７０４で、第１のＵＥ装置１０６及び第２のＵＥ装置１０８は、ＶｏＬＴＥ通話に使用されるレートをネゴシエートする。上述のように、ステップ７０４によって表されるレートネゴシエーションは、ステップ７０２の前、ステップ７０２の後、又はその両方で実行することができる。ステップ７０６において、基地局１０２は、第１のＵＥ装置１０６からレート変更要求を受信する。いくつかの例では、要求されるレート変更は、第１のＵＥ装置１０６と第２のＵＥ装置１０８との間のレートネゴシエーションに基づいて判定される。ステップ７０８で、レート推奨が実施された（例えば、受け入れられた）という確認が受信される。いくつかの例では、基地局１０２が当該確認を受信する。他の例では、第１のＵＥ装置１０６は基地局１０２から当該確認を受信する。
【００４７】
本発明の他の実施形態及び変更例は、これらの教示を参酌して、明らかに、当業者に容易に創作されるだろう。上述の記載は、例示的であり限定的なものではない。本発明は、上記の明細書及び添付の図面に基づく実施形態及び変更例の全てを含む、以下の請求項によってのみ限定される。したがって、本発明の範囲は、上記の記載を参照して決定されるのではなく、均等物の全範囲と共に添付される請求項を参照して決定されるべきである。
【図１】
2019525592.tif 000003
【図２Ａ】
2019525592.tif 000004
【図２Ｂ】
2019525592.tif 000005
【図３】
2019525592.tif 000006
【図４】
2019525592.tif 000007
【図５】
2019525592.tif 000008
【図６】
2019525592.tif 000009
【図７】
2019525592.tif 000010
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
基地局から第１のユーザ機器（ＵＥ）装置に推奨ビットレートを送信することであって、前記推奨ビットレートは、第２のＵＥ装置との音声パケット通信に使用される、ことと、
前記基地局からの前記推奨ビットレートに基づいて、前記第１のＵＥ装置と前記第２のＵＥ装置との間で、前記音声パケット通信に使用されるレートをネゴシエートすることと、
前記ネゴシエートされたレートを前記第１のＵＥ装置から前記基地局に送信することと、を含む、方法。
【請求項２】
前記音声パケット通信は、ボイスオーバーロングタームエボリューション（ＶｏＬＴＥ）通話である、請求項１に記載の方法。
【請求項３】
前記推奨ビットレートは、前記基地局によってサポートされるビットレートを含む、請求項１又は２に記載の方法。
【請求項４】
前記ビットレートは、前記基地局によって許容可能な最大ビットレートである、請求項３に記載の方法。
【請求項５】
前記推奨ビットレートは、より高いレートのための推奨を含む、請求項１乃至４のいずれか１項に記載の方法。
【請求項６】
前記推奨ビットレートは、より低いレートのための推奨を含む、請求項１乃至４のいずれか１項に記載の方法。
【請求項７】
第１のユーザ機器（ＵＥ）装置であって、
基地局から推奨ビットレートを受信する受信部であって、前記推奨ビットレートは、第２のＵＥ装置との音声パケット通信に使用される、受信部と、
前記基地局からの前記推奨ビットレートに基づいて、前記音声パケット通信に使用されるレートを前記第２のＵＥ装置とネゴシエートする制御部と、
前記ネゴシエートされたレートを前記基地局に送信する送信部と、を備える、第１のＵＥ装置。
【請求項８】
第１のユーザ機器（ＵＥ）装置に、
基地局から推奨ビットレートを受信する処理であって、前記推奨ビットレートは、第２のＵＥ装置との音声パケット通信に使用される、処理と、
前記基地局からの前記推奨ビットレートに基づいて、前記音声パケット通信に使用されるレートを前記第２のＵＥ装置とネゴシエートする処理と、
前記ネゴシエートされたレートを前記基地局に送信する処理と、を実行させる、プロセッサ。
【請求項９】
基地局であって、
第１のユーザ機器（ＵＥ）装置に推奨ビットレートを送信する送信部であって、前記推奨ビットレートは、第２のＵＥ装置との音声パケット通信に使用される、送信部と、
前記基地局からの前記推奨ビットレートに基づいて前記第１のＵＥ装置と前記第２のＵＥ装置との間でネゴシエートされた前記音声パケット通信に使用されるレートを前記第１のＵＥ装置から受信する受信部と、を備える、基地局。
【国際調査報告】
2019525592.tif 000011
2019525592.tif 000012